(57)【要約】【課題】石油系ワックスなどの化学物質の融解作用を利用した発色形示温具は、常温雰囲気中においては十分に温度検知可能であるが、２０℃以下の比較的低い温度領域において温度検知させ様としても、これに用いる化学物質が常温中において融解してしまう為、所期の機能を発揮させることは出来なかった。【構成】底板２と前記底板２の周縁から上方に立ち上がった丈の短い周壁３とからなる容器１内に、任意の設定温度で融解して固体から液体に変化する化学物質１０が封入されているマイクロカプセル５を充填すると共に、充填箇所の上部に、一方の面が彩色面８となっている色紙からなる発色材７を前記彩色面８が下方を向く様に、容器１内に設置されたスペーサー６を介して位置せしめ、更にこの発色材７の上面に、この容器１の上端開口部を閉塞する様に透明な樹脂板９を嵌め込んで固定して低温用発色形示温具を構成した。【選択図】  図１
2007121016.tif 000002
【特許請求の範囲】
【請求項１】
底板２と前記底板２の周縁から上方に立ち上がった丈の短い周壁３とからなる容器１内に、任意の設定温度で融解して固体から液体に変化する化学物質１０が封入されているマイクロカプセル５を充填すると共に、充填箇所の上部に、一方の面が彩色面８となっている色紙からなる発色材７を前記彩色面８が下方を向く様に、容器１内に設置されたスペーサー６を介して位置せしめ、更にこの発色材７の上面に、この容器１の上端開口部を閉塞する様に透明な樹脂板９を嵌め込んで固定したことを特徴とする低温用発色形示温具。
【請求項２】
底板２の裏面側に粘着剤層４が形成されていることを特徴とする請求項１記載の低温用発色形示温具。
【請求項３】
容器１が金属で構成されていることを特徴とする請求項１記載の低温用発色形示温具。
【請求項４】
樹脂板９の中央部が上方に向かって膨出したドーム状になっていることを特徴とする請求項１記載の低温用発色形示温具。
【発明の詳細な説明】
【技術分野】
【０００１】
この発明は化学物質の熱による融解作用を利用した発色形示温具、詳しくは、低温領域においても温度検知することが出来る低温用発色形示温具に関するものである。
【背景技術】
【０００２】
石油系ワックスなどの熱融解性化合物の熱融解作用によって、色紙などからなる発色材を発色させ、設定温度超過の事実を表示する発色形示温具は、安価な割には感知精度が高く、誤作動のおそれが少なく、電源等の付帯設備が不要であり、設置スペースもわずかで足りる、などの数々の利点から、熱管理を必要とする多くの産業分野において広く使用されている。
【特許文献１】特開２００１−８３０２０
【非特許文献１】なし
【発明の開示】
【発明が解決しようとする課題】
【０００３】
上記発色形示温具は、通常４０℃〜２８０℃程度の温度領域で使用されることが普通であるが、食品産業分野などにおいては、２０℃以下の比較的低い温度領域、なかには−４０℃という極低温領域においても温度検知が可能な発色形示温具の出現が強く求められている。しかしながら、発色形示温具は上述の通り、化学物質の熱による融解作用を利用するので、２０℃以下という比較的低い温度領域において融解する化学物質を用いた場合、これらの化学物質はそれ以上の温度下においては、当然に融解して液化してしまう為、従来の発色形示温具では、温度検知の用に供する前に化学物質が融解して発色材を発色させてしまうことになり、低温領域での温度検知は到底不可能であった。
【０００４】
本発明者は、数々のすぐれた特徴から利用分野が拡大されつつある発色形示温具において、今まで機構的に温度検知不可能であった２０℃以下の比較的低温の温度領域でも温度検知を可能にすべく研究を行った結果、２０℃以下の比較的低温の温度領域はもちろん、−４０℃という極低温においても十分温度検知が可能な発色形示温具を開発することに成功し、本発明としてここに提案するものである。
【課題を解決するための手段】
【０００５】
底板２と前記底板２の周縁から上方に立ち上がった丈の短い周壁３とからなる容器１内に、任意の設定温度で融解して固体から液体に変化する化学物質１０が封入されているマイクロカプセル５を充填すると共に、充填箇所の上部に、一方の面が彩色面８となっている色紙からなる発色材７を前記彩色面８が下方を向く様に、容器１内に設置されたスペーサー６を介して位置せしめ、更にこの発色材７の上面に、この容器１の上端開口部を閉塞する様に透明な樹脂板９を嵌め込んで発色形示温具を構成することにより、上記課題を解決した。
【発明の効果】
【０００６】
この発明に係る低温用発色形示温具においては、供用開始まで常温中にそのまま放置しておいても、化学物質１０が発色材７に浸み込むことはなく、供用開始前に発色材７が発色してしまうことはない。従って、常温下において供用開始までそのままストックしておくことが可能で、低コスト、設置容易、無電源、高精度、高耐久性と言った発色形示温具の長所を十分に発揮させつつ、従来の発色形示温具においては測定不能であった２０℃以下の比較的低温の領域において対象物の温度検知を行うことが出来る効果を有する。
【発明を実施するための最良の形態】
【０００７】
２０℃以下の任意の設定温度で融解して固体から液体に変化する化学物質をマイクロカプセル中に封入すると共に、供用開始直前にマイクロカプセルを破壊する様にした点に最大の特徴が存する。
【実施例１】
【０００８】
図１はこの発明に係る低温用発色形示温具の実施例１の断面図である。図中１は、この発明に係る低温用発色形示温具の外殻を構成する容器であり、アルミニュームなどの熱伝導性の良好な金属を素材とし、底板２とこの底板２の周縁から上方に立ち上がった丈の短い周壁３とからなっており、底板２の裏面には粘着剤層４が形成されており、温度検知すべき対象物に直接貼付出来る様になっている。
【０００９】
そして、この容器１の内部空間には、任意の設定温度で融解して固体から液体へ変化する化学物質１０が封入されたマイクロカプセル５が所定量充填されている。なお、この場合の設定温度は２０℃以下の温度であることは言うまでもない。
【００１０】
又、この充填されたマイクロカプセル５の上方には、周壁３の内側面に沿って立設されたスペーサー６に支持されつつ、色紙からなる発色材７がその彩色面８を下方にして位置せしめられている。なお、このスペーサー６は、縦方向の押圧により容易に圧壊する構造になっている。更に、この発色材７の上面には、容器１の上端開口部を閉塞する様に中央が上方に膨出したドーム形の透明な樹脂板９が、その周縁を発色材７の上面周縁に重ねる様に嵌め込まれており、周壁３の上縁は前記樹脂板９を容器１に固定する為、内側に向かってカシメられている。
【００１１】
この実施例は上記の通りの構成を有するものであり、これを常温化に放置した場合、感温作用を行う化学物質１０は当然に融解するが、化学物質１０はマイクロカプセル５中に封入されているので、外部へは一切流出せず、化学物質１０が発色体７へ浸み込んでこれを発色させる事態は発生しない。
【００１２】
一方、この低温用発色形示温具を使用に供しようとするときは、使用開始直前、供用温度雰囲気中つまり２０℃以下の温度下において、容器１の上部開口部を閉塞している樹脂板９を下方に強く押し込む。すると、図２に示す様に、発色材７を支持していたスペーサー６が圧壊すると共に、樹脂板８が発色材７を介してマイクロカプセル５を押圧し、マイクロカプセル５は割れ、その内部に封入されている化学物質１０が容器１の内部空間中に露出する。このとき、この低温用発色形示温具は供用温度雰囲気中、即ち、２０℃以下の温度領域下に置かれているので、マイクロカプセル５が割れてその中から化学物質１０が露出しても、化学物質１０は固体のままであり、発色材７に接しても、これに浸み込むことはなく、発色材７は全く発色しない。
【００１３】
この状態で、この低温用発色形示温具を温度検知すべき対象物に、その粘着剤層４を用いて貼付して供用を開始する。そして、対象物が予め設定された温度に達すると、化学物質１０は融解して固体から液体へ変化し、発色材７へ浸み込み、不透明だった発色材７の本体部分は半透明化し、それまで下方からは見えなかった色彩面８が樹脂板９を通して透けて見える様になるので、それにより設定温度超過の事実を知ることが出来る。
【００１４】
この様に、この発明に係る低温用発色形示温具においては、供用開始まで常温中にそのまま放置しておいても、化学物質１０が発色材７に浸み込むことはなく、発色材７が発色してしまうことはない。従って、常温下において、供用開始までそのままストックしておくことが可能で、低コスト、設置容易、無電源、高精度、高耐久性と言った発色形示温具の長所を十分に発揮させつつ、従来の発色形示温具においては測定不能であった２０℃以下の温度領域において対象物の温度検知を行うことが出来る効果を有する。
【産業上の利用可能性】
【００１５】
温度検知を要するあらゆる産業分野において利用可能であるが、製品の低温保存の機会が多い食品産業の分野において特に利用価値が高い。
【図面の簡単な説明】
【００１６】
【図１】この発明に係る低温用発色形示温具の一実施例の使用開始前の断面図。
【図２】同じく、その使用開始後の断面図。
【符号の説明】
【００１７】
１    容器
２    底板
３    周壁
４    粘着剤層
５    マイクロカプセル
６    スペーサー
７    発色材
８    彩色面
９    樹脂板
１０    化学物質
【図１】
2007121016.tif 000003
【図２】
2007121016.tif 000004